(57)【特許請求の範囲】
【請求項１】
日除（１）のシートは、浮力を持つ複数の袋（２）を下部に置き、
該日除（１）は、該袋（２）の下に内部膜（１ａ）を具備し、
該日除（１）と該内部膜（１a)の間の空気を抜き、
該日除（１）は、複数の止め具（３）を介して複数のロープ（４）が地面（５）に固定してあることを特徴とするテント。
【請求項２】
日除（１）のシートは、浮力を持つ複数の袋（２）を下部に置き、
該日除（１）は、該袋（２）の下に内部膜（１ａ）を具備し、
該日除（１）と該内部膜（１a)の間の空気を抜き、
該日除（１）は、複数の止め具（３）を介し、複数のロープ（４）が地面（５）に固定してあり、
該日除（１）の上部には、太陽光発電（６）のパネルを具備し、
該太陽光発電（６）は、非晶質シリコンであることを特徴とするテント。
【請求項３】
日除（１）のシートは、浮力を持つ複数の袋（２）を下部に置き、
該日除（１）は、該袋（２）の下に内部膜（１ａ）を具備し、
該日除（１）と該内部膜（１a)の間の空気を抜き、
テント全体の形は、流線形になっていて、
該日除（１）の下部には、電波発振装置（７）を具備し、
該電波発振装置（７）は、前記内部膜（１a)を貫通して、前記袋（２）を避けて該日除（１）に補強（７a)を介して固定されており、
該日除（１）は、複数の止め具（３）を介し、複数のロープ（４）が地面（５）に固定してあることを特徴とするテント。
【発明の詳細な説明】
【技術分野】
【０００１】
本発明は、球場等の上にバルーンを浮かべ、日除しを避けるテントに関するものである。
【背景技術】
【０００２】
従来のテントは、柱を立て、その上にシートを張っていた。そのテントは柱があるため大型にはできなかった。そこで、エアードームなどがあり、球場全体に空気の圧力で膨らませる物があった。
そのエアドームで東京ドームには、天井を支える柱が付いていない。そこで、ガラス繊維でできたシートの天井の重さは４００トンもあり、この重い天井を支えているのは空気である。その空気は、外気より０．００３気圧高くして屋根を支えていた。
【０００３】
また、特開２００２−３２２８２９の名称  浮上屋根では、各種のイベント会場の仮説テントやパビリオン、既存のスポーツ施設の屋根、野外スケート場の水面の保護のための屋根架け、陽射しの強い日の運動会または雨天回避のための運動会に屋根、建設現場や発掘調査の現場など、雨や強い日差しを嫌う野外作業現場では、屋根シートの下から浮力により持ち上げる物があった。そのバルーンは、ヘリウムを用いて空気の密度は約１．３であり、ヘリウムの密度は０．１７８５であるため、１気圧では１キロリットルで約１キログラムの浮力があり、バルーンを浮かべシート張っていた。
【０００４】
また、太陽光線エネルギーを電気エネルギーに変換するものとしては、特開２００６−８６１４０の名称  気球体を利用した太陽光発電方法及び装置では、遮蔽物のない空中に浮揚させた気球の外側に太陽光発電素子を配設し、この電気素子に照射される太陽光エネルギーを発電素子によって電気エネルギーに変換して電力を得るものであるが、気球体表面は外側に湾曲した球面であるから、地球の回転に対して気球体表面の太陽光発電素子は気球側面から上面にわたり日の出から日没までの終日太陽光の照射を受け、電力を発生さていた。
【先行技術文献】
【特許文献】
【０００５】
【特許文献１】特開２００６−３０７６１２
【特許文献２】特開２００６−８６１４０
【特許文献３】特開２００６−２９０３９
【特許文献４】特開２００２−３２２８２９
【発明の概要】
【発明が解決しようとする課題】
【０００６】
従来のエアードームは、球場全体にシートを張り、空気の圧力で膨らませる物があった。しかしエアードームは、一か所穴が開くと、そこから空気が漏れて使えなかった。また、送風機が必要であった。
【０００７】
そこで、特開２００２−３２２８２９の名称  浮上屋根では、陽射しの強い日の運動会または雨天回避のための運動会に、屋根シートの下からアドバルーンによって浮力を持ち、その力によって持ち上げる物があった。しかし、アドバルーンによって球体を守るために気圧が加わり、せっかくの浮力が少なくなっていた。
【０００８】
また、太陽光線エネルギーを電気エネルギーに変換するものとしては、特開２００６−８６１４０の名称  気球体を利用した太陽光発電方法及び装置では、遮蔽物のない空中に浮揚させた気球の外側に太陽光発電素子を配設していたが、気球は風に弱い物であった。
【０００９】
そこで、本発明のテントは、日除（１）は浮力を持つ複数の袋（２）を下部に置き、袋（２）の下に内部膜（１ａ）を具備し、複数の止め具（３）を介して複数のロープ（４）が、地面（５）に固定してあるテントを提供するものである。
【課題を解決するための手段】
【００１０】
上記目的を達成するために、本発明のテントは、日除（１）は浮力を持つ複数の袋（２）を下部に置き、その日除（１）は袋（２）の下に内部膜（１ａ）を具備する。そして、日除（１）は複数の止め具（３）を介して複数のロープ（４）が、地面（５）に固定してあることで目的を達成した。
【００１１】
請求項２のテントは、日除（１）は浮力を持つ複数の袋（２）を下部に置き、日除（１）は複数の袋（２）の下に内部膜（１ａ）を具備する。そして、日除（１）は複数の止め具（３）を介して、複数のロープ（４）が地面（５）に固定してある。そして、日除（１）の上部には、太陽光発電（６）のパネルを具備することで目的を達成した。
【００１２】
請求項３のテントは、日除（１）は複数の浮力を持つ袋（２）を下部に置き、日除（１）の下部には電波発振装置（７）を具備している。そして、日除（１）は複数の止め具（３）を介して、複数のロープ（４）が地面（５）に固定してあることで目的を達成した。
【発明の効果】
【００１３】
本発明のテントは、次のような効果がある。
（イ）柱が不要なため、巨大な構造物が作れる。
（ロ）野球場などでは、テントを移動させて日光の陽射しを取り込むように、移動ができる。
（ハ）浮力は、水素とヘリウムなどを内部に溜める方法と、野球場などの観客の熱で内部の温度が上昇する方法と、日除に太陽の熱が溜まり自然と浮く方法がある。
（ニ）ビルの日除に利用すると、夏の室温が２０度さがる。
（ホ）町を夏の陽射しから退避すると、各家庭のエアコンの使用が少なくなり、室外機が空気を暖めていたのを少なくすることができる。
（ヘ）請求項２のテントは、広い面積でソーラ発電をし、日陰は気温を下げる。
（ト）請求項２のテントは、上空２０キロに浮かべると、台風などの災害はない。
（チ）請求項３のテントは、上空２０キロに浮かべると、電波塔の代わりをする。
【図面の簡単な説明】
【００１４】
【図１】図は、野球場の上にテントでカバーした斜視図である。
【図２】図は、野球場の上にテントでカバーした断面図である。
【図３】図は、町全体をテントでカバーした断面図である。
【図４】図は、テントとテントの結束状態を現した断面図である。
【図５】図は、テントの上を太陽光発電装置でカバーした断面図である。
【図６】図は、テントを成層圏間で上げ、太陽光発電装置を使用する断面図である。
【図７】家を１個だけテントでカバーした断面図である。
【図８】図は、テントの下に電波発振装置を取り付けた断面図である。
【発明を実施するための最良の形態】
【００１５】
本発明のテントは、陽射し避けるためまたは、雨天の雨を避けるために使用するものである。その日除（１）のシートの下に、袋（２）を複数の取り付ける。その袋（２）は、浮力を持つ水素とヘリウムを混合に混ぜ合わして、水素の燃える性質と、ヘリウムの物を燃やさない性質を、１対１に混ぜ合わせて、中に挿入する。
【００１６】
すると、水素の密度は１リットルあたり０．０８９９グラムで、ヘリウムの密度は０．１７８５グラムであるため、ヘリウムを１として、水素を１の割合で混合した密度は０．１３４２になっており、ヘリウムを単体で使用するよりは、浮力が上がる点と、水素の方が金額的に安価なので、遥かに良い。そして、空気の密度は１．２９グラムであるから、浮力で上に上がる。
【００１７】
そして複数の袋（２）を、日除（１）の下部に置き、浮力があるため日除（１）に張り付いている。そして、袋（２）の下に内部膜（１ａ）を具備しており、内部膜（１ａ）は日除（１）の端に密閉されているので、日除（１）と内部膜（１ａ）の間の空気は、掃除機のような物を使用して抜けれているので、内部膜（１ａ）は日除（１）に袋（２ａ）を介して張る付いている。したがって、テントの内部（２）は袋（２）だけになっており、その袋（２）は日除（１）や内部膜（１ａ）に保護されているため、破損することが無いので、ごみ袋のように簡単な物でよい。
【００１８】
そして、その日除（１）の端には、止め具（３）を介して、ロープ（４）が地面（５）に固定している。そのような止め具（３）は、四方八方に取ってあり、そのロープ（４）で風に流されるのを防ぐため、ロープ（４）は斜めに張る必要がある。
【００１９】
請求項２のテントは、上記テントの上の、日除（１）の上部に太陽光発電（６）の、パネルを具備している。したがって、太陽の陽射しを避ける日除（１）と、おまけに太陽光発電（６）をする、一石二鳥のものである。その地上に降り注ぐ太陽光は、１平方メートルに３００ｗ〜１０００ｗのエネルギーを照射している。この光エネルギーは、φ１のエリアでは０．２ｍｗ〜０．７ｍｗ程度である。そこで、φ５０の口径の虫眼鏡を使って、太陽光をφ１程度に集中させても５０ｍｗ程度であるが、しかしこの光でも紙は燃える。このエネルギーを有効に取り、またこの光エネルギーを地上に伝えないためには、家（５ｅ）やビル（５ｂ）などの上にテントを張り、その熱が家（５ｅ）に伝わらないことで日除（１）の効果があり、降り注いだ太陽光線（８）は、太陽光発電（６）によってエネルギーを得る。
【００２０】
その日除（１）のシートは、全体を見れば凸面になっているが、部分的に見ると平面であり、従来の住宅の屋根などに太陽光発電のパネルを設置するときには、太陽光発電装置を枠の中に取り付け、それを屋根の瓦に設置していたが、そのような枠は不要である。しかも太陽光発電（６）は、人が上れないテントの日除（１）の上に設置したため、人の力によって、誤って破損することがないため軽量に設計できる。
【００２１】
そして、日除（１）は複数の止め具（３）を介して、複数のロープ（４）が地面（５）に固定してある。また、太陽光発電（６）装置が発電した電気は、ケーブル（６ａ）を介して地上に下ろす。
【００２２】
そして、上にテントがあることで、直射日光を避け、真夏の場合では、黒色の鉄板などでは８０度に達するが、日陰では３０度であり、その差は５０度の温度を下げる。そして、太陽光発電（６）で発電した電気で、エアーコンを運転することができるが、本発明のテントがあるため、気温が低い。このためエアーコンの、設定温度に容易に達すため、節電になる。
【００２３】
請求項３のテントは、上記テントの下に電波発振装置（７）を取り付けたもので、日除（１）は複数の浮力を持つ袋（２）を下部に置き、日除（１）の下部には電波発振装置（７）を具備しているので、電波塔の変わりをする物である。その電波発振装置（７）を吊り下げるテントは、日除（１）と内部膜（１ａ）との間に、複数の袋（２）を具備し、その袋（２）は上空に上がると体積が増えるので、成層圏まで上げるときは、袋（２）は全体の１０分の１を充填するだけでよい。
【００２４】
そして日除（１）の端に、止め具（３）を具備し、ロープ（４）を介して地面（５）に止めている。その地面（５）の止める位置は、日除（１）からロープ（４）が地面（５）に止めるとき、扇状に広がった形になっているので、風などの外力に強い。
【００２５】
またテント全体の形は、円盤形の流線形になっているため、風などの外力に強い。このテントは流線形になっているため、従来の気球の球状なら、空気が当たる面積が広いため、気流が乱れていたが、流線形ならば、端は空気を切り裂くようになっており、中央部分では厚みがある構造になっている。したがって、風の抵抗は球体の３０分の１以下になる。
【００２６】
電波発振装置（７）は中央の、下の部分に付いており、日除（１）から補強（７ａ）を取り、固定している。その補強（７ａ）は、電波発振装置（７）を中心に、内部膜（１ａ）を貫通して、内部（２）に具備した袋（２）を避けて、日除（１）に固定されている。
【実施例１】
【００２７】
本発明のテントを、図面を参照して説明する。
（イ）図１は、野球場の上に、テントでカバーした斜視図である。その野球場は、東京ドームのように設置したものである。東京ドームは、気圧を高め球体を保っていたので、一部でも穴が開いたら、そこから空気が漏れていた。しかし、本発明のテントでは内部にヘリウムガスを溜めているため、ヘリウムガスは風船のように、袋（２ａ）が一個一個別々であるため、１個が完全にガスが抜けても差し支えない。それは、袋（２ａ）に一つの穴が開いて、完全にヘリウムガスが漏れても、複数ある袋（２ａ）の１個のガスがなくなっただけであるから、差し迫った浮力に影響がない。
【００２８】
その図は、野球場の上のテントを、一部切り取ったところである。そのテントの、大きさは直径１５０メートルであり、日除（１）のシートの厚みは１ミリで、補強にカーボン繊維などが入ったシートである。そのテントの全体の断面は、５個の袋（２）の断面を現し、厚みは平均して１メートルである。そして、全体では１９個の袋（２）があり、その袋（２）には浮力がある。その浮力を、日除（１）が下に押さえている状態である。その袋（２）は、直径３０メートルの袋（２）に、ヘリウムガスと水素ガスの、混合ガスを１０００立方メートル入れる。
【００２９】
すると、水素の密度は１リットルあたり０．０８９９グラムであり、ヘリウムの密度は０．１７８５グラムであるため、ヘリウムを１として、水素を１の割合で混合した密度は０．１３４２グラムになっており、水素と酸素が燃えるとき、水素と酸素が触れ合う密度は１０％になり、ヘリウムを単体で使用するよりは、浮力が上がる点と水素の方が金額的に安価なので、遥かに良い。空気の密度は１リットルあたり１．２８５８グラムであり、１立方メートルあたり約１キログラムの浮力があるため、１０００立方メートルでは１トンの浮力があり、全体では２０トンの浮力がある。それでも、浮力が足りないときは、厚み１メートル平均であった物を２メートル平均にすると、４０トンの浮力が得られる。
【００３０】
そして、日除（１）と内部膜（１ａ）の間の空気を抜くと、日除（１）の内部（２）の袋（２）だけが間に入り、内部膜（１ａ）は吸引した空気が、気圧よりも低いため袋（２）に張り付いている。したがって、テントの形を守る物は、日除（１）のシートだけで、その他の内部膜（１ａ）は、袋（２ａ）が飛んでいかないようにするだけである。
【００３１】
図２の野球場の上に、テントでカバーした断面図である。日除（１）の内部（２）にヘリウムガスを入れた袋（２ａ）を放つと、日除（１）の中央を持ち上げる。テントの端に止め具（３）を介して、ロープ（４）で地面（５）に取り付ける。その図には、ロープ（４）が３本書かれている。そして、その地面（５）に設置したロープ（４）を延ばして、地上２００メートルに上げたところである。
【００３２】
テントは太陽光線（８）を避け、太陽光線（８）は１平方メートルあたり１ｋｗの直射日光を避け、そのほとんどが熱エネルギーに変わり、日除（１）のシートに伝わり、内部（２）の袋（２ａ）のガスを暖める。球場自体は、人間の体温が溜まっていたが、上空に上げることで、新鮮な空気が横から入り、外気と同じになり、温度を下げることができるため、クーラーを使用しなくてすむので節電になる。また、屋根を開く球場は、魅力的であったが、本発明の球場は２００メートル上空に上げることで、屋根の存在を無くす物である。
【００３３】
テントの日除（１）の内部（２）は、その中の観客の体温で空気が軽くなり、熱気球のように持ち上がる。持ち上げた観客の体温は、上部のテントの内部膜（１ａ）に溜まり、その気体は外気よりも気温が高いため膨脹して、さらにテントを上に上昇する。
【００３４】
持ち上がったテントは、中央が凹面になっているため、浮力で内部膜（１ａ）に接しているため、暖かい熱は内部（２）の袋（２ａ）に伝わり、袋（２ａ）内部のヘリウムが熱によって膨脹し、熱気球のようになる。
【００３５】
（ロ）図３は、町全体をテントでカバーした断面図で、テントが２個と、ロープ（４）が全部で６本書かれている。この町は、上にテントがあることで、直射日光を避けていた。このテントがない真夏の場合では、ヒートアイランドを起こし、４０度になった気温は、クーラーが室温を下げないと熱中症になるので、仕方なくクーラーによって、室内の温度を下げていた。変わりに、室外に熱を放出していため、室外は高温になっていた。そのため町は、更に温度が高くなっていた。
【００３６】
そこで町全体を、直径１キロメートルのテントで、日陰を作るものである。そのテントの日除（１）の、内部（２）の袋（２ａ）は、直径３０メートルで、約１０００個の袋（２ａ）が具備されている。そのテントで、町全体を日陰にすることで、町の気温を２５度まで下げ、２５度になるとクーラーも使わなくて良いため、ヒートアイランドが起こらない。そのテントは、地上５００メートルの上空に設置されており、日除（１）は内部（２）に袋（２）を多数入れ、内部膜（１ａ）によって形を守っている。
【００３７】
そしてできたテントを複数用意することで、図３のようになる。このテントは、図４の止め具（３）を断面図で現したように、止め具（３）の鳩目（３ａ）にロープ（４）を通すことで、そのテントだけを下ろすことができる。もし、この仕組みがなければ、このテントを１個だけ下ろすとしたら、上空１００メートルまでは下ろせるとしても、１００メートル付近には、高い建造物が建っており、上空１００メートルでは作業ができない。そのため、左のテントにロープ（４）Ａとし、その反対側のロープ（４）をＡ´として、Ａ´は右のテントの止め具（３）の鳩目（３ａ）の穴を通って地面（５）に下ろす。
【００３８】
同様に右のテントの、止め具（３）に固定したロープ（４）Ｂと、その反対側のロープ（４）Ｂ´は左のテントの鳩目（３ａ）の穴を通って、地面（５）に固定されている。したがって、Ａ´Ｂ´のロープ（４）で、普段は固定されている。そこで、左のテントだけを下に下げるときは、Ａのロープ（４）を引っ張ると、点線のように下へ下がる。ある程度まで下に下げたテントは、修理できる所まで運び、地上に下ろして修理ができる。
【実施例２】
【００３９】
（イ）図５は、請求項２のテントの、日除（１）の上を太陽光発電（６）装置で、カバーした断面図である。太陽光発電（６）は、太陽エネルギーを受けて電気エネルギーに換える光電変換装置である。その半導体中で、光により発生した電子（正孔）対を内部に存在する、電界で分離し電流を得る。半導体としては、従来結晶シリコンが主であったが、近年非晶質（アモルファス）シリコンの開発が進んでいる。その太陽光発電（６）を、テントの上に具備する物である。
【００４０】
上空に本発明のテントを、複数配置したところで、町は日陰になり約１５度の気温を下げ、日除（１）の上に具備した太陽光発電（６）装置は、発電して電線（６ａ）はロープ（４）に添わせてあり地上に送る。そのテントは２個書かれており、何個でも継ぎ足せる。そのため、従来の太陽光発電は南に向いていた屋根にしか使用できなく、道路や敷地の１０分の１しか太陽光発電装置を設置できなかった。しかし、本発明のテントでは、１００％の広さで、太陽光発電（６）が使用できる。そしてテントの、日除（１）の上には太陽光発電（６）が書かれているが、太陽光発電（６）のパネルが薄いため薄く書いている。またテントの内部（２）には、袋（２ａ）が多数設けられている。
【００４１】
（ロ）図６は、テントを成層圏まで上げ、太陽光発電（６）装置を使用する断面図である。その成層圏は、高度約１８キロ以上、８０キロ以下にあって、気温がほぼ一定で、空気密度が小さく、雲や霧もない静かな大気の高度範囲であるから、太陽光発電（６）には天候に左右されない点で良い。そして、下は対流圏、上は電離層につながる。冬半球の成層圏平均風は低緯度地方から極まで広がる偏西風である。特に亜熱帯ジェット流の存在が特徴であり、後者は高度６０キロで、風速は毎秒８０メートルに達する。夏半球の成層圏は偏東風で占められ、風速は偏西風と同程度の大きさをもっている。夏以外の季節には、偏東風域は熱帯地方に限られる。
【００４２】
成層圏まで上げたテントは、直径３０キロメートルで、全体の重量は１８０万トンである。その体積は４５億立方メートルで、地上より上空２０キロメートルでは、気圧が１０分の１になるため、４５０億立方メートルになる。袋（２ａ）は、直径３０メートルの物を１０分の１の２７００立方メートル装填して、１個の浮力は２７００キログラムなので全部で２００万個の袋（２ａ）を挿入すると、全体では５４０万トンの浮力がある。地上では、日除（１）と内部膜（１ａ）との間は５メートルの厚みがあり、成層圏では５０メートルの厚みになる。
【００４３】
しかし分割して、テントを設置する方が現実的である。そこで、１キロメートルのテントを作り成層圏まで浮かべ、９００個で役目を果たす。取り付け方は、図４のように取り付ける。成層圏では、人が上がって作業できないため、ロープ（４）Ａを引っ張って地上に下ろし作業する。
【００４４】
テント全体では、９億ｋｗの太陽光線（８）の光エネルギーが降り注ぎ、図では１８本の斜線で現している。その太陽光線（８）の、９分の１で、１億ｋｗの発電をしたとしても、１億ｋｗの発電は、１００万ｋｗの原子力発電所の、１００個分の発電をして、日本の発電を殆どカバーする。それとは別に、都市部の上にテントを設置すると、都市部全体が日陰になるので、夏場の気温が過ごしやすい。
【００４５】
空気の成分は、体積で５分の４が窒素で、約５分の１が酸素である。他に二酸化炭素や水蒸気、いろいろな気体が少しずつ入っている。混ざり合う比率は、高度８０キロあたりまでは変わらない。そして、地球の引力によって地球の表面に引きつけられるので、上の層ほど薄くなる。そこで、毎秒８０メートルのゼット気流でも高度２０キロでは、気圧０．１であるから、テントに与える抵抗は少ない。
【００４６】
図面は、高度２０キロに上がったテントの断面図であり、右に書かれている積乱雲（９）は高度１５キロより上には上がらない。したがって、台風などの影響も受けない。
また気温は、１００メートル上がると０．６５度下がり、上空２０キロではマイナス１００度になり、ほぼ宇宙空間と等しくなる。
【００４７】
図に書かれている太陽光線（８）は、日除（１）の上に具備した太陽光発電（６）のパネルで、宇宙空間とほぼ同じ発電をする。太陽電池を衛生の表面に張付けた場合に比べて、太陽からの受光面積が増やせるので、大きな電力が得られるが、平板がしなうのに伴う振動が衛生本体と干渉し、姿勢制御が難しくなる。太陽追尾方式と固定方式があるため、本発明のテントもロープ（４）を操作することで、太陽の方向に傾けることができる。
【００４８】
空気は酸素と窒素の混合で、酸素の密度は１リットルあたり１．４２９１グラムで窒素の密度は１．２５０６グラムであり、テントを成層圏まで上げるとしたら、水素の密度は０．０８９９グラムでヘリウムの密度は０．１７８５グラムであるから水素４にヘリウム１の割合で、混合した密度は０．１であり、空気の密度は１．２８５８グラムであり、その浮力は上空８０キロメートルまでは変わらない。ただし、気圧は１０分の１になるため、地上では袋（２ａ）に混合ガスを入れるときに、体積が１０倍になることを計算して装填しなければならない。そして、成層圏では空気が薄いため、火災は起こらない。また成層圏では太陽光発電（６）で、出る熱はテント自体を暖め、熱気球のように内部（２）の袋（２ａ）を暖める。
【００４９】
（ニ）図７は、家を１個だけテントでカバーした断面図である。そのテントは、敷地にポール（５ｄ）を最低４本立て、そのポール（５ｄ）に止め具（３）を固定したところである。まずポール（５ｄ）は、電信柱で、電信柱は地下に３分の１以上埋設してある。そのポール（５ｄ）に、止め具（３）を介してテントの日除（１）が取り付けてあり、日除（１）の内部（２）には、複数の袋（２ａ）が浮力を持っており、内部膜（１ａ）で袋（２ａ）が外へ出ないようにカバーしている。
【００５０】
その日除（１）の上を、太陽光発電（６）装置を取り付け、太陽光発電（６）装置で発電した電気は、右のポール（５ｄ）から電線（６ａ）を介して家（５ｅ）で消費する。したがって、屋根に太陽光発電装置を取り付けたときより、テントがあることで気温が下がり、設置する場所が広く、太陽光発電（６）はテントに直接取り付けるため軽量で安い物が使える。しかも、隣の家も太陽光発電（６）装置を使用することで、ポール（５ｄ）が使用できるため、ポール（５ｄ）を建てる費用は折半になる。また、南のポール（５ｄ）の取り付け位置を、低くすることで太陽光線（８）は、直角に当たるようになる。
【実施例３】
【００５１】
（イ）図８は、請求項３のテントの下に、電波発振装置（７）を取り付けた断面図である。その図は電波発振装置（７）の補強（７ａ）を７本書かれていて、補強（７ａ）は内部膜（１ａ）を貫通して、内部（２）の袋（２ａ）を避けて、日除（１）に固定してある。そして、その図は成層圏に上げたところであり、成層圏は、高度約１８キロ以上８０キロ以下にあって、気温がほぼ一定で、空気密度が小さく、雲や霧もない静かな大気の高度範囲をいう。その成層圏から、テレビなどの電波を送るため、殆どの所に電波が届く。
【００５２】
空気の成分は、体積で５分の４が窒素で、約５分の１が酸素である。他に二酸化炭素や水蒸気、いろいろな気体が少しずつ入っている。混ざり合う比率は、高度８０キロあたりまでは変わらない。そして、地球の引力によって地球の表面に引きつけられるので、上の層ほど薄くなる。そこで、風速毎秒８０メートルでも、高度２０キロでは、気圧０．１であるから、テントに与える抵抗は少ない。
【００５３】
図面は、高度２０キロに上がったテントの断面図であり、右に書かれている積乱雲（９）は、高度１５キロより上には上がらない。したがって、台風などの影響も受けない。
また気温は、１００メートル上がると気温は０．６５度下がり、上空２０キロではマイナス１００度になり、ほぼ宇宙空間と等しくなるので、衛生放送と同じである。
【００５４】
（ロ）テントの下に電波発振装置を取り付けた物に、日除（１）の上部に太陽光発電（６）装置を使用したものである。電波発振装置（７）には、電気が要るので、日除（１）の上に太陽光発電（６）装置を取り付ける。
【産業上の利用可能性】
【００５５】
気球は物を、吊り下げることができる。空中は遮る物が無いため、巨大な物ができる。ここに１万トンの船が、津波で陸地に打ち上った状態で説明すると、１立方メートルで１キログラムの浮力があるから、１万トンをつり上げるのは１０００万立方メートルで、球形に直すと直径約２５０メートルの球体で、吊り下げる能力がある。しかし１０００万立方メートルを作るのは無理があるので、１００万立方メートルの、直径約１２０メートルの球体を、１０個取り付けることもできる。また地上から電源を取り、ヒーターで暖め、さらに浮力をますこともできる。
【符号の説明】
【００５６】
１  日除        １ａ  内部膜        ２  内部          ２ａ  袋
３  止め具      ３ａ  鳩目          ４  ロープ
５  地面        ５ａ  客席          ５ｂ  ビル        ５ｃ  山
５ｄ  ポール    ５ｅ  家
６  太陽光発電      ６ａ  電線      ７  電波発振装置      ７ａ  補強
８  太陽光線        ９  積乱雲
【図１】
0005457398.tif 000002
【図２】
0005457398.tif 000003
【図３】
0005457398.tif 000004
【図４】
0005457398.tif 000005
【図５】
0005457398.tif 000006
【図６】
0005457398.tif 000007
【図７】
0005457398.tif 000008
【図８】
0005457398.tif 000009